(57)【特許請求の範囲】
【請求項１】
液体洗濯洗剤組成物を含む水溶性単位用量物品であって、
前記液体洗濯洗剤組成物が、
ａ．液相と、
ｂ．前記液体洗濯洗剤組成物の０．５重量％〜７．５重量％の、汚れ放出ポリマー、増白剤、ポリカルボキシレートポリマー、又はこれらの混合物の群から選択される、固体洗浄活性物質と、
を含み、
前記固体が、前記液相内に分散しており、
前記液相が、必須成分として１，２プロパンジオールを含み、１，２プロパンジオールが単独で用いられる場合には、１，２プロパンジオールを前記液体洗濯洗剤組成物の５重量％〜４０重量％含み、または１，２プロパンジオールと、エチレングリコール、１，３プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物から選択されるいずれかのアルコールと、を組み合わせて用いる場合には、その合計量が前記液体洗濯洗剤組成物の５重量％〜４０重量％であり、かつ
前記液体洗濯洗剤組成物の１０重量％〜３０重量％の非アミン中和直鎖アルキルベンゼンスルホネートを含み、
前記液体洗濯洗剤組成物が、前記液体洗濯洗剤組成物の１０重量％未満のアミン中和アニオン性界面活性剤を含み、
前記液体洗濯洗剤組成物が、前記液体洗濯洗剤組成物の０．５重量％〜１５重量％の水を含み、
前記液体洗濯洗剤組成物が、前記液体洗濯洗剤組成物の５重量％未満のヒドロキシル含有アミンを含む、水溶性単位用量物品。
【請求項２】
前記汚れ放出ポリマーが、ポリエステル汚れ放出ポリマーである、請求項１に記載の水溶性単位用量物品。
【請求項３】
前記増白剤が、スチルベン増白剤、疎水性増白剤、及びこれらの混合物から選択される、請求項１又は２に記載の水溶性単位用量物品。
【請求項４】
前記ポリカルボキシレートポリマーが、マレエート／アクリレートランダムコポリマー、又はポリアクリレートホモポリマー、又は、（ｉ）５０〜９８重量％未満の、カルボキシル基を含む１つ以上のモノマーから誘導される構造単位；（ｉｉ）１〜４９重量％未満の、スルホネート部分を含む１つ以上のモノマーから誘導される構造単位；並びに（ｉｉｉ）１〜４９重量％の、以下の式（Ｉ）及び（ＩＩ）：
【化１】
0006695905.tif 000006
（式（Ｉ）中、Ｒ０は、水素原子又はＣＨ３基を表し、Ｒは、ＣＨ２基、ＣＨ２ＣＨ２基、又は単結合を表し、Ｘは、０〜５の数を表すが、ただし、Ｘは、Ｒが単結合である場合、１〜５の数を表し、Ｒ１は、水素原子又はＣ１〜Ｃ２０有機基である）；
【化２】
0006695905.tif 000007
（式（ＩＩ）中、Ｒ０は、水素原子又はＣＨ３基を表し、Ｒは、ＣＨ２基、ＣＨ２ＣＨ２基、又は単結合を表し、Ｘは、０〜５の数を表し、Ｒ１は、水素原子又はＣ１〜Ｃ２０有機基である）
によって表されるエーテル結合含有モノマーから選択される１種以上のモノマーから誘導される構造単位、を含むコポリマーから選択される、請求項１〜３のいずれか一項に記載の水溶性単位用量物品。
【請求項５】
前記液体洗濯洗剤組成物が、２０℃で６５％未満の平衡相対湿度を有する、請求項１〜４のいずれか一項に記載の水溶性単位用量物品。
【請求項６】
前記液相中の前記１，２プロパンジオールの含有量、または前記１，２プロパンジオールと前記他のアルコールとの合計含有量が、前記液体洗濯洗剤組成物の５重量％〜２０重量％である、請求項１〜５のいずれか一項に記載の水溶性単位用量物品。
【請求項７】
前記液相が、アルキルサルフェートアニオン性界面活性剤、天然若しくは合成的に誘導された脂肪族アルコールエトキシレート非イオン性界面活性剤、又はこれらの混合物を含む、請求項１〜６のいずれか一項に記載の水溶性単位用量物品。
【請求項８】
前記液体洗濯洗剤組成物が、前記液体洗濯洗剤組成物の０．１重量％〜４重量％のヒドロキシル含有アミンを含む、請求項１〜７のいずれか一項に記載の水溶性単位用量物品。
【請求項９】
前記アミンが、モノエタノールアミン、トリエタノールアミン、及びこれらの混合物を含む群から選択される、請求項１〜８のいずれか一項に記載の水溶性単位用量物品。
【請求項１０】
前記液体洗濯洗剤組成物が、構造化剤を含む、請求項１〜９のいずれか一項に記載の水溶性単位用量物品。
【請求項１１】
前記固体が、粒子形態であり、前記粒子が、２μｍ〜５０μｍの平均粒径分布を有する、請求項１〜１０のいずれか一項に記載の水溶性単位用量物品。
【請求項１２】
前記液体洗濯洗剤組成物が、香料原材料を含む、請求項１〜１１のいずれか一項に記載の水溶性単位用量物品。
【請求項１３】
前記液体洗濯洗剤組成物が、補助成分を含み、前記補助成分が、漂白剤、漂白触媒、染料、色調染料、アルコキシル化ポリアミン及びポリエチレンイミンを含む洗浄ポリマー、界面活性剤、溶媒、移染抑制剤、キレート剤、酵素、香料、カプセル化香料、セルロースポリマー、及びこれらの混合物を含む群から選択される、請求項１〜１２のいずれか一項に記載の水溶性単位用量物品。
【請求項１４】
前記水溶性単位用量物品が、少なくとも２つの区画を含む、請求項１〜１３のいずれか一項に記載の水溶性単位用量物品。
【請求項１５】
請求項１〜１４のいずれか一項に記載の水溶性単位用量物品に含まれる前記液体洗濯洗剤組成物の製造方法であって、前記固体を添加する工程を含み、前記固体が粒子を含み、前記粒子が５００μｍ未満の平均粒径分布を有する、方法。
【発明の詳細な説明】
【技術分野】
【０００１】
本発明は、液体洗濯洗剤組成物及びその使用方法の分野である。
【背景技術】
【０００２】
平衡相対湿度の低い液体洗濯洗剤組成物は、微生物汚染されにくいという利点を有する。また、水などの不必要な「充填剤」液体の存在を最小限に抑える、いわゆる凝縮型液体が好まれる傾向がある。このような組成物は、不必要な材料を輸送する必要性が少ないため、このような輸送作業の環境への影響が低減されるので、より環境に優しい。したがって、業界では、水などの非活性物質の濃度を最小化する、いわゆる凝縮型液体を使用することに対する動きがある。このような液体洗濯洗剤組成物は、直鎖アルキルベンゼンスルホネートなどのアニオン性界面活性剤と、他の非界面活性剤洗浄及び／又はケア活性物質の両方の存在を必要とする。
【０００３】
しかし、このような凝縮型組成物は、アニオン性界面活性剤などの洗浄材料の濃度が相対的に高いことから、多くの場合高粘度を有することがある。従来、液体洗濯洗剤組成物の消費者が許容可能な粘度を確保するために、このような組成物ではヒドロキシル含有アミンが使用されてきた。また、製造中に組成物の加工性をもたらすために、許容可能な粘度が必要とされている。ヒドロキシル含有アミンは、多くの場合、直鎖アルキルベンゼンスルホネートなどのアニオン性洗浄界面活性剤のための中和剤として使用される。
【０００４】
しかし、現在、このようなヒドロキシル含有アミンの全体濃度を低下させることが望まれている。
【０００５】
公知の相対湿度の低い洗濯洗剤組成物のヒドロキシル含有アミンの濃度を低下させると、消費者が組成物を正確に注ぎ、投入する能力に負の影響を与える高粘度の組成物が生じることがある。また、製造中にこのような粘性組成物を取り扱うのは困難であるので、組成物の加工性が影響を受ける。
【発明の概要】
【発明が解決しようとする課題】
【０００６】
したがって、より低濃度のヒドロキシル含有アミン化合物を含有するが、消費者が許容可能な及び／又はプロセス許容可能な粘度を呈する、相対湿度の低い液体洗濯洗剤組成物が当該技術分野において必要とされている。
【０００７】
驚くべきことに、上記問題点は、本発明の特定の処方スペース（formulation space）によって克服されることが見出された。以下に記載された処方スペースは、低い相対湿度を有しかつより低濃度のヒドロキシル含有アミン化合物を含むが、許容可能な粘度を有する液体組成物を提供することができる。
【課題を解決するための手段】
【０００８】
本発明は、液体洗濯洗剤組成物であって、
ａ．液相と、
ｂ．当該液体洗剤組成物の０．５重量％〜７．５重量％の、汚れ放出ポリマー、増白剤、ポリカルボキシレートポリマー、又はこれらの混合物の群から選択される、固体洗浄活性物質と、を含み、
当該固体が、当該液相内に分散しており、当該水溶性固相が、当該液体洗濯洗剤組成物を１２Ｎ（１２００Ｇ）で１０分間遠心分離したときに得られる当該固体として定義され、
当該液相が、当該液体の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択されるアルコール、好ましくは、１，２プロパンジオール、ジプロピレングリコール、ポリプロピレングリコール、２，３−ブタンジオール、ジプロピレングリコールｎ−ブチルエーテル、及びこれらの混合物を含む群から選択されるアルコールと、
当該組成物の１０重量％〜３０重量％の非アミン中和直鎖アルキルベンゼンスルホネートと、を含み、当該液体洗濯洗剤組成物が、当該液体洗濯洗剤組成物の１０重量％未満のアミン中和アニオン性界面活性剤を含み、
当該組成物が、当該組成物の０．５重量％〜２０重量％の水を含み、
当該組成物が、当該組成物の５重量％未満のヒドロキシル含有アミンを含む、液体洗濯洗剤組成物である。
【発明を実施するための形態】
【０００９】
洗濯洗剤組成物
本発明の液体洗濯洗剤組成物は、液相と固体活性物質とを含む。固体活性物質は、液相内に分散しており、液体洗濯洗剤組成物の０．５重量％〜７．５重量％存在する。固体活性物質は、汚れ放出ポリマー、増白剤、ポリカルボキシレートポリマー、又はこれらの混合物の群から選択される。固体活性物質及び液相については、以下でより詳細に説明する。
【００１０】
好ましくは、液体洗濯洗剤組成物は、１０００ｓ−１の剪断速度で３００ｍＰａ・ｓ〜７００ｍＰａ・ｓ、より好ましくは３５０ｍＰａ・ｓ〜６００ｍＰａ・ｓの粘度を有する。粘度を測定するための例示的な方法は、製造業者の説明書に従って、２０℃で１０００μｍのギャップを使用してＴＡ  ｉｎｓｔｒｕｍｅｎｔｓ製のレオメータＤＨＲ１を使用することである。
【００１１】
本発明の液体洗濯洗剤組成物は、好ましくは、不透明である。理論に束縛されるものではないが、消費者は、優れた洗浄のシグナルとなるので、不透明な組成物を好む。不透明とは、本明細書では、当該組成物が、７０超、より好ましくは７２超、より好ましくは７５超の新鮮ハンターＬ値を有することを意味する。ハンター色空間は、立方体として体系化される。Ｌ軸は、上から下に延びる。最大Ｌ値は、白色の１００であり、最小値は、黒色の０である。ａ及びｂ軸は、特定の数値限定を有しないが、正のａは赤色、負のａは緑色、正のｂは黄色、及び負のｂは青色である（図１を参照）。デルタ値（ΔＬ、Δａ及びΔｂ）を測定することができ、これは色変化に関連する。合計色差であるΔＥを計算することもできる。ΔＥは、試験サンプルと比較サンプルとの間のＬ、ａ及びｂの差を考慮した単一の値である。ΔＥは、以下のとおり計算される。
Ｌ１、ａ１、ｂ１並びにＬ２、ａ２及びｂ２を用いて、
ΔＥ＝√（Ｌ２−Ｌ１）２＋（ａ２−ａ１）２＋（ｂ２−ｂ１）２
【００１２】
最小可知差異（ＪＮＤ）は、２．３を超えるΔＥを特徴とする。ＪＮＤは、特定の感覚刺激の出発レベルと二次レベルとの間の人間の目で感知可能な最小差である。
【００１３】
本発明の測定は、以下のとおり設定したＨｕｎｔｅｒＬａｂ色測定機器（Ｈｕｎｔｅｒ  Ｌａｂ  Ｃｏｌｏｒ  Ｑｕｅｓｔ  ＸＥ）を用いて行われる；
光照射器：Ｄ６５、観察者の角度：１０°、モード：反射
【００１４】
この機器は、製造業者の指示書に従って用いられる。２０ｍＬのサンプルを、長さ１０ｍｍ及び寸法５５ｍｍ×５７ｍｍの固定経路を有する光学的に透明なガラスのセル内で試験する。測定の種類は、ポートにおいてサンプルの拡散及び正反射率を測定する反射測定ＲＳＩＮである。この測定は、正反射性の排出ポートの扉を閉じた状態で行う。
【００１５】
新鮮ハンター色値は、調製直後の新鮮サンプルの色パラメータの尺度である。
【００１６】
本発明の液体洗濯洗剤組成物全体は、事実上液体である。すなわち、たとえ液相内に分散した固体を含んでいようと、当該組成物は、固体又は顆粒状組成物ではなく、液体の性質を有する。本発明の洗濯洗剤組成物に関連して、用語「液体」は、このような分散液、ゲル、ペーストなどの形態を包含する。液体組成物は、好適に細分された形態の気体を含んでもよい。しかし、液体組成物は、錠剤又は顆粒などの全体が非液体である形態を除外する。
【００１７】
用語「液体洗濯洗剤組成物」とは、家庭用洗濯機で布地を濡らし、処理することができる、例えば、衣類を洗浄することができる液体を含む任意の洗濯洗剤組成物を指す。
【００１８】
液体組成物は、単位用量物品に処方され得る。本発明の単位用量物品は、少なくとも１つの区画に液体組成物を完全に封入する水溶性フィルムを含む。好適な単位用量物品については、以下でより詳細に説明する。
【００１９】
液体洗濯洗剤組成物は、完全に処方された消費者製品として使用してもよく、又は１つ以上の更なる成分に添加して、完全に処方された消費者製品を形成してもよい。液体洗濯洗剤組成物は、布地を洗浄液に加える前に、布地、好ましくは布地のしみに加える「前処理」組成物であってもよい。
【００２０】
液体洗濯洗剤組成物は、当該組成物の１０重量％〜３０重量％の直鎖アルキルベンゼンスルホネートを含む。
【００２１】
液体洗濯洗剤組成物は、当該液体洗濯洗剤組成物の１０重量％未満、又は更には５重量％未満、又は更には２重量未満の、アミン中和アニオン性界面活性剤を含み、当該アニオン性界面活性剤は、好ましくは、直鎖アルキルベンゼンスルホネート、アルキルサルフェート、及びこれらの混合物を含む群から選択される。
【００２２】
液体洗濯洗剤組成物は、当該組成物の０．５重量％〜２０重量％の水を含み、２０℃で６５％未満の平衡相対湿度を有し得る。
【００２３】
当該組成物は、その組成物の５重量％未満のヒドロキシル含有アミン化合物を含む。好適なアミンについては、以下でより詳細に説明する。
【００２４】
液体洗濯洗剤組成物は、界面活性剤を含み得る。好適な界面活性剤については、以下でより詳細に説明する。
【００２５】
液体洗濯洗剤組成物は、香料原材料を含み得る。香料原材料は、好ましくは、アルデヒド、ケトン、又はこれらの混合物から選択される。
【００２６】
本発明の液体洗濯洗剤組成物は、補助成分を含み得、当該補助成分は、固相中、液相中、又は両方に存在する。
【００２７】
理論に束縛されるものではないが、ヒドロキシル含有アミン化合物の除去によって、多数の洗剤成分が溶液から出てくると考えられる。次に、これによって、組成物の粘度が増大する。本発明は、許容可能な粘度の組成物が得られるように、慎重に固体形態と液体形態との間で成分の形態のバランスをとる。
【００２８】
更に、ヒドロキシル含有アミンの除去によって、処方が相分離する恐れがある（すなわち、少なくとも２つの明白に異なる相が見えることがある）。本発明は、相分離を最小限に抑えながら、低い相対湿度及びより低濃度のヒドロキシル含有アミン化合物を有する組成物を提供するという更なる効果を提供する。
【００２９】
固体活性物質
本発明の液体洗濯洗剤組成物は、固体洗浄活性物質を含み、当該固体活性物質は、液相に分散している。
【００３０】
「固体活性物質」とは、本明細書では、洗浄効果を提供しかつ固体である、すなわち、液体ではない任意の材料を意味する。固体活性物質は、粒子形態であってよい。粒子は、２μｍ〜５０μｍの平均粒径分布を有し得る。
【００３１】
「水溶性」とは、本明細書では、最大孔径２０マイクロメートルのガラスフィルターの使用後に本明細書に記載の方法によって測定したとき、固体の少なくとも７５％、又は更には少なくとも８５％、又は更には少なくとも９５％が水に溶解することを意味する。
【００３２】
予め秤量した３Ｌのビーカーに、５グラム±０．１グラムの固体を添加し、２Ｌ±５ｍＬの蒸留水を添加する。これを、６００ｒｐｍに設定した電磁攪拌器（Ｌａｂｌｉｎｅモデル番号１２５０又は等価物）及び１５ｃｍの電磁攪拌器により、３５℃にて３０分間激しく攪拌した。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【００３３】
水溶性固相は、液体洗濯洗剤組成物を１２Ｎ（１２００Ｇ）で１０分間遠心分離したときに得ることができる。好ましい方法は、以下である。
１．使用前に、遠心分離器（Ｓｉｇｍａ  Ｃｅｎｔｒｉｆｕｇｅ  ６−１５Ｈ、６ポットロータ）を所望の温度に予め加熱する。遠心管をロータにロードするとき、当該遠心管は、常に、正反対の位置に互いに対向して配置しなければならず、試験することができるサンプルの数は、２、３、４及び６である。
２．８５ｍＬのポリカーボネートねじ蓋付き試験管を使用する。各管に５０ｇの材料を充填し、合計質量：管＋蓋＋試験材料を測定した。
３．均一に離間するように遠心分離ロータに管を入れ、ロータカバーをしっかり締結する。遠心管をロータにロードするとき、当該遠心管は、常に、正反対の位置に互いに対向して配置しなければならず、試験することができるサンプルの数は、２、３、４及び６である。
４．遠心分離時間を９０分に設定する。遠心分離器（１７１１９相対遠心分離力まで速度を自動的に徐々に増大させる（分離速度を最大化するためにこの遠心分離器の最大ＲＣＦが用いられる）を起動させる。
５．数回使用後に遠心管に亀裂が入り得るので、９０分の終わりに、なくなった材料がないことを確実に確認するために各管を再計量する。
６．遠心分離の最後に様々な画分を得ることができ、画分の数はサンプルの性質に依存し、固体画分は、最も密度が高く、底部が不透明な画分であり、比較的高粘度である。次いで、管から最上相を簡単に除去することによって、底画分を得ることができる。
【００３４】
液体洗濯洗剤組成物は、当該液体洗濯洗剤組成物の０．５重量％〜７．５重量％の固体活性物質を含む。
【００３５】
固体活性物質は、汚れ放出ポリマー、増白剤、ポリカルボキシレートポリマー、又はこれらの混合物の群から選択される。好適な汚れ放出ポリマー、増白剤及びポリカルボキシレートポリマーについては、以下でより詳細に説明する。
【００３６】
固体活性物質は、当該固体活性物質の０．５重量％〜２．５重量％、又は更には０．５重量％〜５重量％、又は更には０．５重量％〜７．５重量％の汚れ放出ポリマーを含み得る。液体洗濯洗剤組成物は、当該液体洗濯洗剤組成物の０．５重量％〜２．５重量％、又は更には０．７５重量％〜２重量％の汚れ放出ポリマーを含み得る。
【００３７】
固体活性物質は、当該固体活性物質の０．５〜２．５重量％、又は更には０．５重量％〜５重量％、又は更には０．５重量％〜７．５重量％の増白剤を含み得る。液体洗濯洗剤組成物は、当該液体洗濯洗剤組成物の０．５重量％〜２．５重量％、又は更には０．７５重量％〜２重量％の増白剤を含み得る。
【００３８】
固体活性物質は、当該固体活性物質の０．５重量％〜２．５重量％、又は更には０．５重量％〜５重量％、又は更には０．５重量％〜７．５重量％のポリカルボキシレートポリマーを含み得る。液体洗濯洗剤組成物は、当該液体洗濯洗剤組成物の０．５重量％〜２．５重量％、又は更には０．７５重量％〜２重量％のポリカルボキシレートポリマーを含み得る。
【００３９】
上記の組成物は、固体非洗浄活性物質を含み得る。非洗浄活性物質としては、審美的若しくは感覚的効果を提供する成分、又は充填剤材料として分類されるものが挙げられる。例えば、非洗浄活性物質としては、粘土、香料、香料送達技術、柔軟性技術、顔料、シリコーン、消泡剤、付着促進技術などが挙げられる。
【００４０】
液相
本発明の液体洗濯洗剤組成物は、固体活性物質が分散している液相を含む。
【００４１】
液相は、当該液体の５重量％〜４０重量％のアルコールを含む。アルコールについては、以下により詳細に説明する。
【００４２】
液相は、当該組成物の５重量％〜２０重量％、又は更には５重量％〜１５重量％のアルコールを含み得る。
【００４３】
液相は、天然又は合成的に誘導された脂肪族アルコールエトキシレート非イオン性界面活性剤を含み得る。好ましい合成的に誘導された脂肪族アルコールエトキシレート非イオン性界面活性剤、又はオキソ合成プロセスから誘導されたもの、すなわち、いわゆるオキソ合成非イオン性界面活性剤。上記の組成物は、当該組成物の０重量％〜３０重量％、又は更には０．１重量％〜２５重量％の脂肪族アルコールエトキシレート非イオン性界面活性剤を含み得る。
【００４４】
エトキシ化非イオン性界面活性剤は、例えば、一級及び二級アルコールエトキシレート、特にアルコール１モル当たり平均１〜５０モル、又は更には２０モルのエチレンオキシドでエトキシ化されたＣ８〜Ｃ２０脂肪族アルコール、より特にアルコール１モル当たり平均１〜１０モルのエチレンオキシドでエトキシ化されたＣ１０〜Ｃ１５一級及び二級脂肪族アルコールであってよい。
【００４５】
エトキシ化アルコール非イオン性界面活性剤は、例えば、３〜８モルのエチレンオキシドと、１モルの、９〜１５個の炭素原子を有する一級アルコールとの縮合生成物であり得る。
【００４６】
非イオン性界面活性剤は、式Ｒ（ＥＯ）ｎ（式中、Ｒは、４〜３０個の炭素原子のアルキル鎖を表し、（ＥＯ）は、エチレンオキシドモノマーの１単位を示し、ｎは、０．５〜２０の平均値を有する）の脂肪族アルコールエトキシレートを含み得る。
【００４７】
上記の組成物は、他の非イオン性界面活性剤、好ましくは、天然又は合成非イオン性界面活性剤を含み得る。
【００４８】
アルコール
液相は、当該組成物の５重量％〜４０重量％、又は更には５重量％〜２０重量％、又は更には５重量％〜１５重量％のアルコールを含み、好ましくは、当該アルコールは、２０〜４００の分子量を有し、かつアルコールｅＲＨ試験によって測定したときに、２０℃で５０％〜８０％、又は更には５２％〜７５％のｅＲＨを有する。
【００４９】
アルコールｅＲＨ試験は、脱イオン水中８０％アルコールの溶液を調製する工程と、続いて、室温（２０℃＋／−１℃）で、較正したＲｏｔｒｏｎｉｃ  Ｈｙｇｒｏｌａｂ  ｍｅｔｅｒ（深さ１４ｍｍのプラスチックサンプルライナにおいて）にこれを添加する工程と、これを２５分間較正する工程と、最後に、記録されたｅＲＨを測定する工程とを含む。用いたサンプルの体積は、プラスチックサンプルライナを充填するのに十分であった。
【００５０】
「アルコール」とは、本明細書では、全てまとめたとき、それぞれが２０〜４００の分子量を有し、かつアルコール混合物が脱イオン水中８０％活性物質溶液として存在するときに２０℃で５０％〜８０％の、化合物又は混合物の全体ｅＲＨを有する、単一化合物又は化合物の混合物のいずれかを意味する。理論に束縛されるものではないが、アルコールは、少なくとも１つのＯＨ単位、好ましくはポリオール及びジオール、より好ましくはジオールを含む任意の化合物である。好ましいジオールとしては、グリコールが挙げられる。
【００５１】
アルコールは、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００５２】
最も好ましくは、アルコールは、エチレングリコール、１，２プロパンジオール、２，３−ブタンジオール、１，３ブタンジオール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００５３】
更により好ましくは、アルコールは、１，２プロパンジオール、ジプロピレングリコール、ポリプロピレングリコール、２，３−ブタンジオール、ジプロピレングリコールｎ−ブチルエーテル、及びこれらの混合物を含む群から選択される。
【００５４】
最も好ましくは、アルコールは、１，２プロパンジオール、ジプロピレングリコール、ポリプロピレングリコール、ジプロピレングリコールｎ−ブチルエーテル、及びこれらの混合物を含む群から選択され得る。
【００５５】
汚れ放出ポリマー
洗浄活性物質は、汚れ放出ポリマーを含み得る。汚れ放出ポリマーは、ポリエステル汚れ放出ポリマーを含み得る。好適なポリエステル汚れ放出ポリマーは、テレフタレートポリマー、アミンポリマー、又はこれらの混合物から選択され得る。好適なポリエステル汚れ放出ポリマーは、以下の構造（Ｉ）、（ＩＩ）又は（ＩＩＩ）：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
（式中、
ａ、ｂ及びｃは、１〜２００であり；
ｄ、ｅ及びｆは、１〜５０であり；
Ａｒは、１，４−置換フェニレンであり；
ｓＡｒは、５位がＳＯ３Ｍｅにより置換されている１，３−置換フェニレンであり；
Ｍｅは、Ｈ、Ｎａ、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの任意の混合物であり；
Ｒ１、Ｒ２、Ｒ３、Ｒ４、Ｒ５、及びＲ６は、独立して、Ｈ又はＣ１〜Ｃ１８  ｎ−若しくはイソ−アルキルから選択され；
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）のうちの１つによって定義される構造を有し得る。
【００５６】
好適なポリエステル汚れ放出ポリマーは、上記の式（Ｉ）又は（ＩＩ）の構造を有するテレフタレートポリマーであり得る。
【００５７】
好適なポリエステル汚れ放出ポリマーとしては、Ｒｅｐｅｌ−ｏ−ｔｅｘ  ＳＦ２（Ｒｈｏｄｉａ）などのＲｅｐｅｌ−ｏ−ｔｅｘシリーズのポリマー、及び／又はＴｅｘｃａｒｅ  ＳＲＡ３００（Ｃｌａｒｉａｎｔ）などのＴｅｘｃａｒｅシリーズのポリマーが挙げられる。
【００５８】
増白剤
洗浄活性物質は、増白剤を含み得る。増白剤は、好ましくは、スチルベン増白剤、疎水性増白剤、及びこれらの混合物から選択される。
【００５９】
増白剤は、増白剤１５などのスチルベンを含み得る。他の好適な増白剤は、疎水性増白剤及び増白剤４９である。増白剤は、３〜３０マイクロメートル、又は３マイクロメートル〜２０マイクロメートル、又は３〜１０マイクロメートルの範囲内の重量平均粒径を有する微粉化粒子形態であってもよい。増白剤は、α又はβ結晶形態であってよい。
【００６０】
好適な増白剤としては、ジスチリルビフェニル化合物、例えば、Ｔｉｎｏｐａｌ（登録商標）ＣＢＳ−Ｘ、ジアミノスチルベンジスルホン酸化合物、例えば、Ｔｉｎｏｐａｌ（登録商標）ＤＭＳ  ｐｕｒｅ  Ｘｔｒａ及びＢｌａｎｋｏｐｈｏｒ（登録商標）ＨＲＨ、並びにピラゾリン化合物、例えば、Ｂｌａｎｋｏｐｈｏｒ（登録商標）ＳＮ、並びにクマリン化合物、例えば、Ｔｉｎｏｐａｌ（登録商標）ＳＷＮが挙げられる。
【００６１】
好ましい増白剤は、ナトリウム２（４−スチリル−３−スルホフェニル）−２Ｈ−ナフトール［１，２−ｄ］トリアゾール、二ナトリウム４，４’−ビス｛［（４−アニリノ−６−（Ｎメチル−Ｎ−２ヒドロキシエチル）アミノ１，３，５−トリアジン−２−イル）］；アミノ｝スチルベン−２−２’ジスルホネート、二ナトリウム４，４’−ビス｛［（４−アニリノ−６−モルホリノ−１，３，５−トリアジン−２−イル）］アミノ｝スチルベン−２−２’ジスルホネート、及び二ナトリウム４，４’−ビス（２−スルホスチリル）ビフェニルである。好適な蛍光増白剤は、そのβ又はα結晶質形態で用いることができるＣ．Ｉ．蛍光増白剤２６０、又はこれら形態の混合物である。
【００６２】
ポリカルボキシレートポリマー
洗浄活性物質は、ポリカルボキシレートポリマーを含み得る。洗浄活性物質は、組成物の少なくとも５重量％のポリカルボキシレートポリマーを含み得る。固相は、当該固相の１重量％〜５重量％、又は更には１重量％〜２重量％のポリカルボキシレートポリマーを含み得る。液体洗濯洗剤組成物は、当該液体洗濯洗剤組成物の０．５重量％〜２．５重量％、又は更には０．７５重量％〜２重量％のポリカルボキシレートを含み得る。
【００６３】
ポリカルボキシレートポリマーは、マレエート／アクリレートランダムコポリマー又はポリアクリレートホモポリマーを含み得る。好適なポリカルボキシレートポリマーとしては、４，０００Ｄａ〜９，０００Ｄａの分子量を有するポリアクリレートホモポリマー、５０，０００Ｄａ〜１００，０００Ｄａ又は６０，０００Ｄａ〜８０，０００Ｄａの分子量を有するマレエート／アクリレートランダムコポリマーが挙げられる。
【００６４】
別の好適なポリカルボキシレートポリマーは、（ｉ）５０〜９８重量％未満の、カルボキシル基を含む１つ以上のモノマーから誘導される構造単位；（ｉｉ）１〜４９重量％未満の、スルホネート部分を含む１つ以上のモノマーから誘導される構造単位；並びに（ｉｉｉ）１〜４９重量％の、以下の式（Ｉ）及び（ＩＩ）：
【００６５】
【化１】
0006695905.tif 000002
（式（Ｉ）中、Ｒ０は、水素原子又はＣＨ３基を表し、Ｒは、ＣＨ２基、ＣＨ２ＣＨ２基、又は単結合を表し、Ｘは、０〜５の数を表すが、ただし、Ｘは、Ｒが単結合である場合、１〜５の数を表し、Ｒ１は、水素原子又はＣ１〜Ｃ２０有機基である）；
【００６６】
【化２】
0006695905.tif 000003
（式（ＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である）によって表されるエーテル結合含有モノマーから選択される１種以上のモノマーから誘導される構造単位、を含むコポリマーである。
【００６７】
ポリマーは、少なくとも５０ｋＤａ、又は更には少なくとも７０ｋＤａの重量平均分子量を有することが好ましい場合がある。
【００６８】
アニオン性界面活性剤
液体洗濯洗剤組成物は、当該組成物の１０重量％〜３０重量％の非アミン中和直鎖アルキルベンゼンスルホネートを含む。直鎖アルキルベンゼンスルホネートは、液体中に存在してもよく、固体として、又はこれらの混合物として存在してもよい。直鎖アルキルベンゼンスルホネートが固体として存在する場合、好ましくは、層状液晶アルキルベンゼンスルホネートの形態である。「層状液晶」とは、本明細書では、界面活性剤分子が、溶媒の薄層によって分離されている溶融状態の界面活性剤の二層の積層体に構築されている状態である系を意味する。この構造は、流動体の観点における液体特性及び構造化の観点における固体特性の両方を有する。この構造は、そのｄ−スペーシング、二層の厚さの合計、及びシート間の溶媒層によって特徴付けられる。この構造の繰り返し及び周期性によって、結晶相に特徴的な急峻なｘ線回折ピークが得られる。
【００６９】
非アミン中和直鎖アルキルベンゼンスルホネートは、アミン以外の中和物質を用いて、直鎖アルキルベンゼンスルホン酸が、対応する直鎖アルキルベンゼンスルホネートに中和されているものである。このような中和基の非限定的な例としては、ナトリウム、カリウム、アンモニウム、及びこれらの混合物が挙げられる。非アミン中和直鎖アルキルベンゼンスルホネートは、直鎖アルキルベンゼンスルホン酸ナトリウム、アルキルベンゼンスルホン酸カリウム、アルキルベンゼンスルホン酸マグネシウム、又はこれらの混合物であってよい。
【００７０】
例示的な直鎖アルキルベンゼンスルホネートは、Ｃ１０〜Ｃ１６アルキルベンゼンスルホン酸又はＣ１１〜Ｃ１４アルキルベンゼンスルホン酸である。「直鎖」とは、本明細書では、アルキル基が直鎖状であることを意味する。アルキルベンゼンスルホネートは、当該技術分野において周知である。特に有用なのは、アルキル基の炭素原子の平均数が約１１〜１４である、直鎖線状アルキルベンゼンスルホン酸ナトリウム、カリウム、及びマグネシウムである。
【００７１】
洗浄技術は、アミン中和アニオン性界面活性剤、好ましくは、アミン中和直鎖アルキルベンゼンスルホネート、アミン中和アルキルサルフェート、又はこれらの混合物を含み得る。液体洗濯洗剤組成物は、固相、液相、又は両方にアミン中和アニオン性界面活性剤を含み得る。
【００７２】
液体洗濯洗剤組成物は、アルキルサルフェートアニオン性界面活性剤を含み得る。液体洗濯洗剤組成物は、当該洗濯洗剤組成物の１０重量％〜３０重量％、又は更には１５重量％〜２５重量％のアルキルサルフェートアニオン性界面活性剤を含み得る。
【００７３】
アルキルサルフェートアニオン性界面活性剤は、アミンで中和されていなくてもよく、アミンで中和されていてもよく、又はこれらの混合物であってもよく、好ましくは、アルキルサルフェートは、アミンで中和されていない。非アミン中和アルキルサルフェートは、アルキル硫酸ナトリウム、アルキル硫酸カリウム、アルキル硫酸マグネシウム、又はこれらの混合物であってよい。
【００７４】
アルキルサルフェートアニオン性界面活性剤は、液体中に存在してもよく、固体として、又はこれらの混合物として存在してもよい。アルキルサルフェートが固体として存在する場合、好ましくは、層状液晶アルキルサルフェートの形態である。アルキルサルフェートアニオン性界面活性剤は、アルコキシ化されていてもよく、アルコキシ化されていなくてもよく、これらの混合物であってもよい。アルキルサルフェートアニオン性界面活性剤は、主にＣ１２アルキルサルフェートを含む、Ｃ１０〜Ｃ２０一級分枝鎖及びランダムアルキルサルフェート（ＡＳ）であってよい。あるいは、アルキルサルフェートアニオン性界面活性剤は、Ｃ１０〜Ｃ１８二級（２，３）アルキルサルフェートであってよい。あるいは、アルキルサルフェートアニオン性界面活性剤は、Ｃ１０〜Ｃ１８アルキルアルコキシサルフェート（ＡＥｘＳ）（ｘは１〜３０である）であってよい。あるいは、アルキルサルフェートアニオン性界面活性剤は、全ての上記アルキルサルフェートアニオン性界面活性剤の混合物であってよい。アルキルサルフェートアニオン性界面活性剤についての好適なカチオンの非限定的な例としては、ナトリウム、カリウム、アンモニウム、アミン、及びこれらの混合物が挙げられる。
【００７５】
アミン
洗剤組成物は、当該組成物の５重量％未満のヒドロキシル含有アミン化合物、又は更には当該組成物の０．１重量％〜５重量％、又は更には０．１重量％〜４重量％のヒドロキシル含有アミン化合物を含む。「ヒドロキシル含有アミン化合物」とは、本明細書では、アルコール（ＯＨ）基及びアミン基を含む化合物を意味する。ヒドロキシル含有アミン化合物は、モノエタノールアミン、トリエタノールアミン、ジイソプロパノールアミン、トリイソプロパノールアミン、モノアミノヘキサノール、２−［（２−メトキシエチル）メチルアミノ］−エタノール、プロパノールアミン、Ｎ−メチルエタノールアミン、ジエタノールアミン、モノブタノールアミン、イソブタノールアミン、モノペンタノールアミン、１−アミノ−３−（２−メトキシエトキシ）−２−プロパノール、２−メチル−４−（メチルアミノ）−２−ブタノール、６−アミノ−１−ヘキサノール、ヘプタミノール、イソエタリン、ノルエピネフリン、スフィンゴシン、フェニルプロパノールアミン、及びこれらの混合物から選択され得る。
【００７６】
ヒドロキシル含有アミン化合物は、モノエタノールアミン、トリエタノールアミン、及びこれらの混合物を含む群から選択され得る。
【００７７】
好ましくは、ヒドロキシル含有アミン化合物は、５００未満、又は更には２５０未満の分子量を有する。
【００７８】
洗剤組成物は、他のアミン含有化合物を含み得る。
【００７９】
構造化剤
本発明の組成物は、当該組成物の２重量％未満の構造化剤を含み得る。構造化剤が存在する場合、好ましくは、当該組成物は、０．０５重量％〜２重量％、好ましくは０．１重量％〜１重量％の構造化剤を含む。構造化剤は、非ポリマー構造化剤又はポリマー構造化剤から選択され得る。構造化剤は、非ポリマー構造化剤、好ましくは、結晶化可能なグリセリドであり得る。構造化剤は、ポリマー構造化剤、好ましくは、繊維系ポリマー構造化剤、より好ましくは、セルロース繊維系構造化剤であり得る。構造化剤は、結晶化可能なグリセリド、セルロース繊維系構造化剤、ＴｉＯ２、シリカ、及びこれらの混合物から選択され得る。
【００８０】
好適な構造化剤は、好ましくは、十分な降伏応力又は低剪断粘度を付与して、組成物の洗浄性界面活性剤の任意の構造化効果とは独立に、すなわち、当該効果以外によって液体洗濯洗剤組成物を安定化させる成分である。好ましくは、構造化剤は、２１℃、２０ｓｅｃ−１で１〜１５００ｃｐｓの高剪断粘度、及び５０００ｃｐｓを超える低剪断粘度（２１℃、０．０５ｓｅｃ−１）を洗濯洗剤組成物に付与する。粘度は、直径４０ｍｍの平板鋼製スピンドル及びギャップサイズ５００μｍを用いて、ＴＡ  ｉｎｓｔｒｕｍｅｎｔｓ製のＡＲ  ５５０レオメータを使用して測定される。２０ｓ−１における高剪断粘度及び０．５ｓ−１における低剪断粘度は、２１℃で３分の対数剪断速度掃引０．１−１〜２５−１から得ることができる。
【００８１】
構造化剤は、結晶化可能なグリセリド、好ましくは、硬化ヒマシ油、すなわち「ＨＣＯ」を含むポリマー結晶質ヒドロキシ官能性構造化剤であってよい。ＨＣＯは、本明細書で使用するとき、最も一般的には、非ポリマー結晶質ヒドロキシ官能性構造化剤プレミックスにおいて結晶化することができる限り、任意の硬化ヒマシ油又はその誘導体であってよい。ヒマシ油としては、ヒドロキシル基を組み込むＣ１０〜Ｃ２２アルキル又はアルケニル部分を含む、グリセリド、特にトリグリセリドを挙げることができる。ＨＣＯを生成するために、ヒマシ油を水素化して、出発油中にリシノレイル部分として存在し得る二重結合を変換する。その結果、リシノレイル部分は、飽和ヒドロキシアルキル部分、例えば、ヒドロキシステアリルに変換される。本明細書におけるＨＣＯは、トリヒドロキシステアリン、ジヒドロキシステアリン、及びこれらの混合物から選択され得る。ＨＣＯは、固形、溶融物、及びこれらの混合物から選択されるものが挙げられるが、これらに限定されない任意の好適な出発形態で加工することができる。本発明で使用するＨＣＯとしては、市販されているものが挙げられる。
【００８２】
本発明において使用される市販のＨＣＯの非限定的な例としては、Ｒｈｅｏｘ，Ｉｎｃ．製のＴＨＩＸＣＩＮ（登録商標）が挙げられる。
【００８３】
構造化剤は、繊維系構造化剤を含み得る。構造化剤は、典型的には高いアスペクト比（長さの断面寸法に対する比）を有する、ナノサイズのセルロースフィブリルから構成される材料であるミクロフィブリル化セルロース（ＭＦＣ）を含み得る。典型的な横方向寸法は、１〜１００又は５〜２０ナノメートルであり、長手方向寸法は、ナノメートル〜数マイクロメートルの広範囲にわたる。構造化の改善のために、ミクロフィブリル化セルロースは、好ましくは、５０〜２００，０００、より好ましくは、１００〜１０，０００の平均アスペクト比（ｌ／ｄ）を有する。ミクロフィブリル化セルロースは、細菌セルロース、柑橘類繊維、及び植物（例えば、テンサイ、チコリー根、ジャガイモ、ニンジンなど）を含む任意の好適な供給源に由来し得る。
【００８４】
構造化剤は、二酸化チタン、二酸化スズ、修飾ＴｉＯ２の任意の形態、ＴｉＯ２又は酸化第二スズ、オキシ塩化ビスマス又はオキシ塩化ビスマスでコーティングされたＴｉＯ２、シリカでコーティングされたＴｉＯ２又は金属酸化物でコーティングされたＴｉＯ２、及びこれらの混合物からなる群から選択され得る。修飾ＴｉＯ２は、炭素修飾ＴｉＯ２、金属ドープＴｉＯ２、又はこれらの混合物を含み得る。金属ドープＴｉＯ２は、白金ドープＴｉＯ２、ロジウムドープＴｉＯ２から選択され得る。
【００８５】
構造化剤は、シリカを含み得る。当業者は、使用するのに好適なシリカ物質を理解している。シリカは、ヒュームドシリカを含み得る。
【００８６】
水及び平衡相対湿度
液体洗濯洗剤組成物は、当該組成物の０．５重量％〜１５重量％の水を含む。液体洗濯洗剤組成物は、当該組成物の０．５重量％〜１２重量％、又は更には０．５重量％〜１０重量％の水を含み得る。
【００８７】
液体洗濯洗剤組成物は、２０℃で６５％未満の平衡相対湿度を有し得る。
【００８８】
当該組成物のｅＲＨを測定するのに好ましい方法は、組成物ｅＲＨ試験によるものである。組成物ｅＲＨ試験は、室温（２０℃＋／−１℃）で、較正されたＲｏｔｒｏｎｉｃ  Ｈｙｇｒｏｌａｂ  ｍｅｔｅｒ（深さ１４ｍｍのプラスチックサンプルライナにおいて）に当該組成物のサンプルを添加する工程と、これを２５分間較正する工程と、最後に、記録されたｅＲＨを測定する工程とを含む。用いたサンプルの体積は、プラスチックサンプルライナを充填するのに十分であった。
【００８９】
補助剤成分
液体洗濯洗剤組成物は、補助成分を含み得る。液体洗濯洗剤組成物は、当該組成物の２０重量％〜４０重量％の補助成分を含み得る。補助成分は、漂白剤、漂白触媒、染料、色調染料、アルコキシル化ポリアミン及びポリエチレンイミンを含む洗浄ポリマー、界面活性剤、溶媒、移染抑制剤、キレート剤、酵素、香料、カプセル化香料、セルロースポリマー、及びこれらの混合物を含む群から選択され得る。
【００９０】
水溶性パウチ
液体洗濯洗剤組成物は、水溶性単位用量物品内に存在し得、当該液体洗濯洗剤組成物は、当該液体洗濯洗剤組成物の０．５重量％〜１５重量％、好ましくは０．５重量％〜１２重量％、より好ましくは０．５重量％〜１０重量％の水を含む。このような実施形態では、水溶性単位用量物品は、単位用量物品が水溶性フィルムによって包囲された少なくとも１つの内部区画を含むような形状の少なくとも１枚の水溶性フィルムを含む。少なくとも１つの区画は、液体洗濯洗剤組成物を含む。水溶性フィルムは、保管中に液体洗濯洗剤組成物が区画から漏れ出さないように封止される。しかし、水溶性単位用量物品を水に添加すると、水溶性フィルムが溶解して、内部区画の内容物が洗浄液中へと放出される。
【００９１】
区画は、組成物を保持する、単位用量物品内の閉じた内部空間を意味すると理解されるべきである。好ましくは、単位用量物品は水溶性フィルムを含む。単位用量物品は、水溶性フィルムが組成物を完全に取り囲み、それによって組成物が存在する区画が画定されるように製造される。単位用量物品は、２枚のフィルムを含んでよい。第１のフィルムは、組成物が添加される開放された区画を含むような形状であってよい。次いで、区画の開口部を閉じるような配向で第１のフィルムを第２のフィルムで覆う。次いで、封止領域に沿って第１及び第２のフィルムを互いに封止する。フィルムについては、以下により詳細に説明する。
【００９２】
単位用量物品は、２つ以上の区画、更には少なくとも２つの区画、又は更には少なくとも３つの区画を含んでよい。区画は、重ね合わせ配向、すなわち、一方が他方の上に位置するように配置してよい。あるいは、区画は、並列配向、すなわち、一方が他方に隣接するように位置してもよい。更に、区画は、「タイヤとリム」の配置で配向してもよく、すなわち、第１の区画が第２の区画に隣接して位置するが、第１の区画が第２の区画を少なくとも部分的に取り囲むが、第２の区画を完全には封入しない。あるいは、１つの区画が別の区画内に完全に封入されていてもよい。
【００９３】
本発明のフィルムは、水溶性又は水分散性である。水溶性フィルムは、好ましくは２０〜１５０マイクロメートル、好ましくは３５〜１２５マイクロメートル、更により好ましくは５０〜１１０マイクロメートル、最も好ましくは約７６マイクロメートルの厚さを有する。
【００９４】
好ましくは、最大孔径２０マイクロメートルのガラスフィルターの使用後に本明細書に記載の方法によって測定したとき、フィルムは、少なくとも５０％、好ましくは少なくとも７５％、又は更には少なくとも９５％の水溶性を有する。
予め秤量した３Ｌのビーカーに、５グラム±０．１グラムのフィルム材料を添加し、２Ｌ±５ｍＬの蒸留水を添加する。これを、６００ｒｐｍに設定した電磁攪拌器（Ｌａｂｌｉｎｅモデル番号１２５０又は等価物）及び５ｃｍの電磁攪拌器により、３０℃にて３０分間激しく攪拌した。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【００９５】
好ましいフィルム材料は、好ましくは、ポリマー材料である。フィルム材料は、当該技術分野において既知であるとおり、例えば、ポリマー材料の注型成形、吹込成形、押出成形又は吹込押出成形によって得ることができる。
【００９６】
パウチ材料として使用するのに好適な好ましいポリマー、コポリマー、又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有していてよく、好ましくは、約１０００〜１，０００，０００、より好ましくは、約１０，０００〜３００，０００、更により好ましくは、約２０，０００〜１５０，０００である。
【００９７】
ポリマー混合物をパウチ材料として使用してもよい。
【００９８】
好ましいフィルムは、冷水、すなわち、加熱されていない蒸留水中で良好な溶解を呈するものである。好ましくは、このようなフィルムは２４℃の温度、更により好ましくは１０℃の温度にて良好な溶解を示す。良好な溶解とは、上記のとおり、最大孔径２０マイクロメートルのガラスフィルターの使用後に本明細書に記載の方法によって測定したとき、フィルムが、少なくとも５０％、好ましくは少なくとも７５％、又は更には少なくとも９５％の水溶性を呈することを意味する。
【００９９】
好ましいフィルムは、Ｍｏｎｏｓｏｌによって商品参照番号Ｍ８６３０、Ｍ８９００、Ｍ８７７９、Ｍ８３１０として供給されているものである。
【０１００】
フィルムは、不透明、半透明又は透明であってよい。フィルムは、印刷された領域を含んでよい。
【０１０１】
印刷領域は、フレキソ印刷又はインクジェット印刷などの標準的な技術を使用して得ることができる。
【０１０２】
フィルムは、例えば苦味剤などの嫌悪剤を含んでよい。好適な苦味剤としては、ナリンギン、オクタ酢酸スクロース、塩酸キニーネ、安息香酸デナトニウム、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【０１０３】
製造方法
本発明の液体洗濯洗剤組成物は、当該技術分野において既知の任意の好適な製造技術を使用して製造され得る。当業者であれば、本発明に係る組成物を製造するのに適切な方法及び機器を理解するであろう。
【０１０４】
好ましいプロセスは、固相を添加する工程を含み、当該固相は、粒子を含み、当該粒子は、５００μｍ未満の平均粒径分布を有する。
【０１０５】
ＨＣＯプレミックスは、ＨＣＯを融解させ、小体積の温液体洗濯洗剤組成物（酵素も香料材料も含まない）に添加することによって形成され得る。次いで、ＨＣＯプレミックスを他の成分に添加して、液体洗濯洗剤組成物を形成する。
【０１０６】
使用方法
本発明の組成物又は単位用量物品は、洗濯物が既に存在しているか、又は洗濯物が加えられる洗浄液に添加してよい。上記の組成物又は物品は、洗濯機の稼働中に使用してよく、ドラムに直接添加しても、引き出し式ディスペンサー（dispenser drawer）に添加してもよい。洗濯機は、自動洗濯機であっても、半自動洗濯機であってもよい。布地柔軟剤又はしみ除去剤などの他の洗濯洗剤組成物と組み合わせて使用してもよい。洗浄液に添加する前に、前処理組成物として、しみに使用してもよい。
【０１０７】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【実施例】
【０１０８】
様々な組成物の粘度を比較した。以下の組成物を調製した。
【０１０９】
【表１】
0006695905.tif 000004
【０１１０】
１０ｃｍのインペラを備えるＩＫＡ  Ｅｕｒｏｓｔａｒ  ２００ミキサを有する１Ｌのビーカーを調製することによって、組成物を製造した。これを２５０ｒｐｍで稼働させた。回転インペラを備えるビーカーに溶媒材料を添加し、続いて、界面活性剤材料を添加した。これらが分散したら、ポリマー及び塩を添加した。組成物のｐＨを、ＮａＯＨを用いて約＆（Ｓａｒｔｏｒｉｕｓ  ＰＴ−１０  ｐＨ計を用いて測定）に調整した。次いで、残りの成分を添加し、混合した。全ての材料を、Ｍｅｔｔｌｅｒ  Ｔｏｌｅｄｏ  ＰＢ３００２−Ｓ秤を用いて計量した。
【０１１１】
組成物Ｃは、当該組成物Ｃの６．２５重量％のモノエタノールアミンを含んでいた。組成物Ａ及びＢは、モノエタノールアミンを含んでいなかった。
【０１１２】
次いで、２０℃で１０００μｍのギャップを使用してＴＡ  ｉｎｓｔｒｕｍｅｎｔｓ製のレオメータＤＨＲ１を用いて、組成物の粘度を測定した。サンプルを、０．０５ｓ−１で１分間平衡化し、続いて、１０分間にわたって０．０５ｓ−１〜１２００ｓ−１の流動曲線を測定した。０．０５ｓ−１〜１０００ｓ−１の結果を表２に示す。
【０１１３】
【表２】
0006695905.tif 000005
【０１１４】
０．０５ｓ−１における剪断力は、消費者が組成物を注いでいる間に組成物が受ける剪断力に相当する。１０００ｓ−１における剪断力は、製造中に組成物が受ける剪断力に相当する。
【０１１５】
６．２５％のモノエタノールアミンを含む組成物Ｃは、消費者注入剪断力及び加工投入剪断力に相当する低及び高剪断力において、許容可能な粘度プロファイルを示す。
【０１１６】
しかし、組成物Ａにおいてモノエタノールアミンを除去した（そして、対応して、界面活性剤を炭酸ナトリウムで中和した）とき、粘度が許容不可能なレベルに増大する。
【０１１７】
モノエタノールアミンが除去され、界面活性剤が炭酸ナトリウムで中和されているだけでなく、１，２−プロパンジオールも添加されている組成物Ｂは、本発明に相当する。粘度は、許容可能なレベルまで戻る。